(57)【要約】  本発明は、皮膚から毛を抜くための手段１２と、痛みを低減するための手段１６、２０とを有する脱毛装置１０に関する。本発明によれば、痛みを低減するための前記手段１６、２０は、熱、冷たさ、振動という刺激のうち少なくとも２つを与える。
2008514333.tif 000002
【特許請求の範囲】
【請求項１】
−皮膚から毛を抜くための手段と、
−前記皮膚に刺激を与えることにより痛みを低減するための手段と、
を有する脱毛装置において、痛みを低減するための前記手段は、熱、冷たさ、振動という刺激のうち少なくとも２つの組み合わせを前記皮膚に与えることを特徴とする脱毛装置。
【請求項２】
請求項１に記載の脱毛装置において、痛みを低減するための前記手段は、前記刺激のうち少なくとも１つを与える第１の手段及び前記刺激のうち別の少なくとも１つを与える第２の手段を有することを特徴とする脱毛装置。
【請求項３】
請求項２に記載の脱毛装置において、前記第１の手段及び前記第２の手段は、当該脱毛装置の動作中の所望の移動方向に対して連続した配置に構成されることを特徴とする脱毛装置。
【請求項４】
請求項２に記載の脱毛装置において、前記第１の手段及び前記第２の手段は、前記毛抜き手段に対して少なくとも部分的に平行な配置に構成されることを特徴とする脱毛装置。
【請求項５】
請求項２に記載の脱毛装置において、前記毛抜き手段と、前記第１の手段と、前記第２の手段とは、それぞれアクティブ面を有し、前記第１の手段の前記アクティブ面の形状及び／又は前記第２の手段の前記アクティブ面の形状は、前記毛抜き手段の前記アクティブ面の形状に少なくとも部分的に適応されていることを特徴とする脱毛装置。
【請求項６】
請求項２に記載の脱毛装置において、少なくとも前記第１の手段及び前記第２の手段は、動作中の前記毛抜き手段の好適な移動方向に関して前記毛抜き手段の前に構成されることを特徴とすることを特徴とする脱毛装置。
【請求項７】
請求項２に記載の脱毛装置において、少なくとも前記第１の手段及び前記第２の手段は、動作中の前記毛抜き手段の好適な移動方向に関して前記毛抜き手段の後ろに構成されることを特徴とする脱毛装置。
【請求項８】
請求項２に記載の脱毛装置において、動作中の前記毛抜き手段の好適な移動方向に関して、少なくとも前記第１の手段は前記毛抜き手段の後ろに構成され、少なくとも前記第２の手段は前記毛抜き手段の前に構成されることを特徴とする脱毛装置。
【請求項９】
請求項２に記載の脱毛装置において、少なくとも前記第１の手段のアクティブ面及び前記第２の手段のアクティブ面は、少なくとも部分的に補完的な態様でマッチすることを特徴とする脱毛装置。
【請求項１０】
請求項２に記載の脱毛装置において、少なくとも前記第１の手段のアクティブ面と前記第２の手段のアクティブ面とが合致することを特徴とする脱毛装置。
【請求項１１】
請求項２に記載の脱毛装置において、少なくとも前記第１の手段及び前記第２の手段は、皮膚部分に同期して接触するように適応されることを特徴とする脱毛装置。
【請求項１２】
請求項１に記載の脱毛装置において、痛みを低減するための前記手段は冷たさ及び熱の刺激を与えることを特徴とする脱毛装置。
【請求項１３】
請求項１に記載の脱毛装置において、痛みを低減するための前記手段は冷たさ及び振動の刺激を与えることを特徴とする脱毛装置。
【請求項１４】
請求項１に記載の脱毛装置において、痛みを低減するための前記手段は熱及び振動の刺激を与えることを特徴とする脱毛装置。
【請求項１５】
請求項１に記載の脱毛装置において、痛みを低減するための前記手段は、当該脱毛装置から取外し可能であることを特徴とする脱毛装置。
【請求項１６】
請求項１に記載の脱毛装置において、痛みを低減するための前記手段は、皮膚部分に接触するための円柱状素子を有し、該円柱の軸は動作中の所望の移動方向に垂直であることを特徴とする脱毛装置。
【発明の詳細な説明】
【技術分野】
【０００１】
本発明は、皮膚から毛を抜くための手段と、皮膚に刺激を与えることによって痛みを低減するための手段とを有する脱毛装置に関する。
【背景技術】
【０００２】
冒頭段落において述べられた種類の脱毛装置は、ヨーロッパ特許第１  １０５  ０１７  Ｂ１号から知られている。脱毛システムとも呼ばれるこの脱毛装置は、脱毛デバイスと冷却デバイスとを有する。脱毛デバイスは、毛を除去するためのヘッド部の領域において脱毛手段を備える。冷却デバイスは、脱毛されるべき領域と接触する皮膚接触部分を備える。動作中、脱毛システムは、脱毛されるべき皮膚領域上を手によってガイドされる。このような脱毛動作中、まず、冷却デバイスの皮膚接触部分は、脱毛されるべき皮膚部分と接触する。その後、脱毛手段は、冷却されたばかりの皮膚領域と動作的接触をする。脱毛されるべき皮膚領域の脱毛前の冷却は、痛み低減効果を持つ。しかし、脱毛プロセスは、依然として、多くのユーザにとって痛いと感じられることになる。
【発明の開示】
【発明が解決しようとする課題】
【０００３】
本発明の目的は、脱毛中の痛みを更に低減することである。
【課題を解決するための手段】
【０００４】
この目的を達成するために、本発明による装置の脱毛装置は、痛みを低減するための手段が、熱、冷たさ、振動という刺激のうち少なくとも２つの組み合わせを皮膚に与えることを特徴とする。２つ又はそれより多くの刺激の提供は、追加の痛み低減効果を持ち、これは以下のように説明されることができる。「ゲートコントロール理論」（Melzack and Wall 1965）によれば、脊髄における神経機構はゲートのように働く。即ち、これは、開閉して、体の周囲から脳への神経信号の流れを調節する。ゲートの状態（開、閉又は幾つかの中間状態）は、感情、期待、記憶等の信号を介して脳によって制御される。体の受容体からの全ての情報は、ゲートを通過しなければ、脳に伝達されて感情（例えば痛み、熱、冷たさ等）として定義され、更には反応を開始させることはできない。ここで、痛み、熱、冷たさ、かゆみの情報は、神経組織を介して異なった伝達速度で伝達される。脱毛中の痛みを低減するための方策は、良い感覚及び感情を発生させることによって、脳により、悪い痛み信号に対して可能な限りゲートを閉じるということである。２つのトリガ（例えば冷却及び加熱）を用いることにより、一方では、異なった性質のより多くの受容体が刺激される（平均１ｃｍ２の皮膚は、２つの熱、１３個の冷たさ、２５個の圧力、及び２００個の痛みの受容体を含む）ことができるので、刺激効果は大幅に向上される。他方では、脳は、２つの感覚（この例では冷却及び加熱）に関連した快適な信号を好み、ゲートをもう少し閉じるか又はゲートを完全に閉じてしまうことによって痛み信号の伝達をブロックする。脳が、２つの正反対の原理の効果を受信して認識することによって刺激されるという事実は、注意がそらされるという効果（an effect of diversion）を持つ。加えて、例えば、皮膚のプレウォーミングは、リラクゼーション効果を持つので、より容易な脱毛が可能である。この効果は、全てのその後の脱毛ストロークにとってより重要になる。なぜなら、皮膚は、前のストロークの冷却機能によって既に接触されているからである。
【０００５】
本発明による脱毛装置の好適な実施例においては、痛みを低減するための手段は、少なくとも１つの刺激を与える第１の手段及び別の少なくとも１つの刺激を与える第２の手段を有する。第１の及び第２の手段にそれぞれ刺激を割り当てることにより、種々の構成オプションが実現されることができる。更に、各手段は、当該手段により与えられるべき刺激のために別個に最適化されることができる。しかし、第１の及び第２の手段を建設的な態様で組み合わせることも本発明の範囲内である。
【０００６】
この場合においては、第１の手段及び第２の手段が、脱毛装置の動作中の所望の移動方向に対して連続した配置（serial configuration）に構成されることが好ましい。第１の及び第２の手段の直列構成は、脱毛装置により処置されている皮膚部分への刺激の順次の適用を可能にする。加えて、刺激の適用は、密接な時間的相関関係で起こり、これにより、痛み低減効果を可能にするための異なった受容体を活性化する。
【０００７】
代わりに又は追加的に、第１の手段及び第２の手段は、毛抜き手段に対して少なくとも部分的に平行な配置（parallel configuration）に構成される。平行配置は、スムーズな動作流れと、第１の及び第２の手段と毛抜き手段との間での信頼性の高い協力とを提供する。
【０００８】
本発明による脱毛装置の好適な実施例においては、毛抜き手段と、第１の手段と、第２の手段とは、それぞれアクティブ面を有し、前記第１の手段の前記アクティブ面の形状及び／又は前記第２の手段の前記アクティブ面の形状は、前記毛抜き手段の前記アクティブ面の形状に少なくとも部分的に適応されている。第１の及び第２の手段のアクティブ面の形状の毛抜き手段のアクティブ面の形状への前記少なくとも部分的な適応は、処置される皮膚への痛み低減刺激の信頼性のある適用を可能にする。特に、毛抜き手段のアクティブ面を第１の及び第２の手段のアクティブ面によって囲むことにより、脱毛前の皮膚の良好な痛み低減プレトリートメント及び脱毛された皮膚の脱毛直後のアフターケアが達成される。
【０００９】
本発明による脱毛装置の特定の実施例は、少なくとも第１の手段及び第２の手段が、動作中の毛抜き手段の好適な移動方向に関して毛抜き手段の前に構成されることを特徴とする。脱毛動作前の、２つの刺激の痛み低減組み合わせの利用は、痛み受容体が活性化される前の痛みマスキング効果を発生させる。従って、痛み受容体によって発生される痛み情報の伝達が低減される。
【００１０】
本発明による脱毛装置の他の実施例は、少なくとも第１の手段及び第２の手段が、動作中の毛抜き手段の好適な移動方向に関して毛抜き手段の後ろに構成されることを特徴とする。この構成は、脱毛プロセスの良好な視認性を与え、ユーザによる脱毛動作の観察を向上させる。
【００１１】
本発明による脱毛装置の他の実施例は、少なくとも第１の手段が、動作中の毛抜き手段の好適な移動方向に関して毛抜き手段の後ろに構成され、少なくとも第２の手段が、動作中の毛抜き手段の好適な移動方向に関して毛抜き手段の前に構成されることを特徴とする。皮膚は脱毛プロセスが起こる前にプレトリートメントされ、これにより痛みへの敏感さを低下させ、同時に、その後のアフタートリートメントが、脱毛プロセスの痛い感覚を低減して脱毛プロセスの後にこのような感覚が残ることを防止する。従って、痛みの感覚は、脱毛動作の毎ステップの最中に、肯定的な感覚によってカバーされる。
【００１２】
脱毛装置の他の開発例によれば、少なくとも第１の手段のアクティブ面及び第２の手段のアクティブ面が、少なくとも部分的に補完的な態様でマッチする。異なった刺激を与えるアクティブ面のマッチングは、異なった刺激の場所的に非常に近い適用を可能にする構成を提供する。特に、１つの刺激（例えば振動）を与えるアクティブ面が、異なった刺激（例えば冷たさ）を与えるアクティブ面から突出することも可能である。従って、２つの異なった刺激の場所的に非常に近い適用が、同時に、異なった刺激のアクティブ面を依然として分離させたままで達成されることができる。
【００１３】
本発明の代替実施例において、少なくとも第１の手段のアクティブ面と第２の手段のアクティブ面とが合致する。１つのアクティブ面によって２つの異なった刺激が加えられれば、痛みを低減するための手段の全体的な大きさが低減されることができる。
【００１４】
本発明による脱毛装置の好適な実施例において、更に、少なくとも第１の手段及び第２の手段が、皮膚部分に同期して接触するように適応されることが好ましい。皮膚部分中における２つ又はそれより多い異なった受容体の同期的活性化は、異なった受容体が異なった皮膚部分に位置している場合でも、情報の神経伝達が同じゲートを通過する限り、痛みマスキング効果を生じる。
【００１５】
本発明の特定の実施例は、痛みを低減するための手段が冷たさ及び熱の刺激を与えることを特徴とする。熱及び冷たさの刺激の組み合わせられた適用は、加えて、注意をそらす効果を持つ。脳が２つの正反対の感覚を受信して認識し、刺激される。毛の抜去が起こる前に熱が与えられる場合、追加的な利点が生じうる。皮膚のプレウォーミングは、皮膚へのリラクゼーション効果を持ち、毛の除去を容易にしうる。この効果は、同一の皮膚部分が何回かの脱毛動作により脱毛されなければならない場合、より重要になる可能性がある。アフタートリートメントが皮膚の冷却を与える場合、皮膚は、次の脱毛ステップが実行されることができる前に、これを暖めることによってリラックスさせられる必要がある。代わりに、毛を抜く前に冷たさ刺激を与え、その後皮膚を温めること、そして、２つの刺激の同時の組み合わせられた適用が、可能である。
【００１６】
本発明の別の特定の実施例は、痛みを低減するための手段が、冷たさ及び振動の刺激を与えることを特徴とする。この実施例は、皮膚の冷たさ及び圧力受容体を活性化することにより痛みマスキング効果を喚起する。この組み合わせは、特に、２つの異なった刺激のために１つのアクティブ面を使用することを容易化する。
【００１７】
本発明の更に別の好適な実施例は、痛みを低減するための手段が熱及び振動の刺激を与えることを特徴とする。この実施例は、上述された実施例と同様の利点を有する。
【００１８】
本発明の他の側面によれば、上記目的は、痛みを低減するための手段が、皮膚に冷たさを電気的に与えることにより解決される。皮膚に与えられるべき冷たさを電気的に発生させることは、例えば冷蔵庫で別個にチャージされなければならない冷たさ貯蔵部を用いる解決策と比較して、ユーザにとっての大きな利点を提供する。通常脱毛装置は毛抜き手段を駆動するための電源を備えるので、冷たさを電気的に発生させることは、多くの場合容易に実現されることができる。冷却手段の時間のかかる冷却が省略されることができ、連続的で一層快適な脱毛プロセスに至る。
【００１９】
特に、痛みを低減する手段が少なくとも１つのPeltier素子を有することが好ましい。Peltier素子は、冷たさ刺激のために必要とされる低温を発生させるために用いられることができる。代わりに、これは、熱刺激のための高温を与えるために用いられることができる。アプリケーションの他の実施例において、２つの温度刺激（即ち熱及び冷たさ）のための１つのPeltier素子が考えられる。Peltier素子の使用は、幾つかの利点を有する。Peltier素子の電気的なパワー供給は、脱毛装置のより快適な取扱いを結果として生じる。Peltier素子の全体的に小さい大きさ及びそのカスタマイズされることができる能力は、Peltier素子を脱毛装置のための適切な温度源にする。
【００２０】
代わりに又は追加的に、痛みを低減するための手段は少なくとも１つのレジスタを有する。熱刺激の発生は、レジスタを使用することによって達成されることができる。この解決策は、安価で信頼性のある加熱源を提供する。
【００２１】
更に、代わりに又は追加的に、痛みを低減するための手段は少なくとも１つのＰＴＣを有する。ＰＴＣは、典型的な特性が当業者に良く知られており、本発明による脱毛装置の加熱素子としても使用されることができる。
【００２２】
幾つかの好適な実施例において、痛みを低減するための手段は、脱毛装置から少なくとも部分的に取外し可能である。特に、冷たさ刺激を与えるための手段が電気的に働くものではない場合には、少なくとも１つの取外し可能な素子を設けることが有利である可能性がある。このような素子は、脱毛素子から分離されることができ、異なった場所でリチャージされることができる。異なった皮膚領域のための異なった実施例を提供するために、痛みを低減するための他の手段が取外し可能であることも有利でありうる。異なった皮膚領域のための異なった刺激を有する脱毛装置を提供することさえも可能である。
【００２３】
本発明による脱毛装置の幾つかの実施例においては、痛みを低減するための手段のための冷たさの源は、冷たさ貯蔵部である。これは、皮膚に冷たさ刺激を与えるための安価で効果的な冷たさの源である。
【００２４】
本発明による別の実施例は、痛みを低減するための手段が、皮膚部分に接触するための円柱状素子を有し、該円柱の軸は動作中の所望の移動方向に垂直であることを特徴とする。円柱状素子は、皮膚部分に痛み低減刺激を伝達するのに適している。例えば、これは、冷たさ刺激又は熱刺激を振動刺激と同時に伝達するために使用されてもよい。特に、円柱状素子の表面から突出するピンは、円柱状素子が皮膚表面上を回転するときに皮膚への振動／マッサージ効果を持つ。
【発明を実施するための最良の形態】
【００２５】
本発明による脱毛装置の実施例及び他の利点は、添付の図面を参照して以下でより詳細に説明される。
【００２６】
図１−Ａを参照すると、脱毛部材１２の形の、皮膚から毛を抜くための手段と、冷却部材１６の形の、痛みを低減するための第１の手段と、振動部材２０の形の、痛みを低減するための第２の手段とを有する脱毛装置が示されている。脱毛部材１２は、ハウジング２４内に実装され、皮膚部分に接触するためのアクティブ面１４を有する。これは更に、多くのピンチディスク２６を有する。これらピンチディスクは、図式的に描かれており、縮尺どおりには描かれていない。動作中、ピンチディスク２６は軸２８の周りで回転する。脱毛部材１２は、ピンチディスク２６の間に毛を挟み、これらピンチディスク２６の回転運動によって皮膚から毛を抜くことにより、脱毛効果を提供する。脱毛部材１２は振動部材２０に接続され、該振動部材２０は、脱毛装置１０の動作中の所望の移動方向２９に関して脱毛部材１２の前にある。脱毛部材１２は、冷却部材１６にも接続されており、該冷却部材１６は、脱毛装置１０の移動方向２９に関して脱毛部材１２の後ろにある。振動部材２０は、動作中の所望の移動方向２９に垂直且つ軸２８に平行に構成されたピン２１の列を有する。ピン２１は、皮膚部分に接触して振動刺激を与えるためのアクティブ面２２を持つ。振動部材２０及び脱毛部材１２は、電源（示されない）に接続可能である。代わりに電池が使用されてもよい。冷却部材１６は、ハウジング１７及びアクティブ冷却面１８を有する。更に、冷却部材１６は、冷却面を提供するための貯蔵素子（示されない）を有する。冷却部材１６は、代わりに、電気的冷却素子を備えることも可能である。
【００２７】
図１−Ｂは、図１に従う装置の、振動部材２０のアクティブ面２２、１４、１８と、脱毛部材１２と、冷却部材１６との構成を図式的に示す。動作中、脱毛装置１０のアクティブ面２２、１４、１８は、脱毛されるべき皮膚と接触させられる。アクティブ面２２、１４、１８が皮膚と接触した状態で、脱毛装置１０は、動作中の所望の移動方向２９に沿って動かされる。振動部材２０のピン２１は、それらの長軸に沿った往復運動を実行する。前記長軸は、脱毛部材１２の回転軸２８に垂直且つ動作中の所望の移動方向２９に垂直（即ち脱毛されるべき皮膚の表面に平行）に延在する。ピン２１の運動は、皮膚の圧力受容体を活性化し、上述したように、第１の痛みマスキング効果を結果として生じる。振動部材２０が皮膚部分を処置した後、皮膚の表面に存在する毛は、脱毛部材１２によって、特にピンチディスク２６によって、除去される。振動刺激によって引き起こされる痛みマスキング効果は、各皮膚部分が脱毛部材１２によって処置されているときに依然として存在しているので、毛の抜去によって引き起こされる痛み感覚は低減される。脱毛プロセスの後、各皮膚部分は冷却部材１６のアクティブ面１８に接触する。これにより、皮膚はより低温に冷却され、第２の痛みマスキング効果を引き起こす。２つの痛み低減刺激（即ち、図１−Ａ及び１−Ｂに示される実施例においては冷却及び振動）の組み合わせられた適用は、ユーザによる痛みの知覚を大きく低減させる。神経組織を介して伝達される信号の周波数及び強度は、最適な痛み低減効果のために最大化されることができることに注意されたい。例えば、冷却面が２〜１２ｃｍ２、特に約６ｃｍ２で、温度が１０〜３０℃、特に１６〜２７℃のとき、良好な冷却効果を提供することが分かった。更に、特定のマッサージ部材を用いる約２０〜５００Ｈｚ、特に約１００Ｈｚの振動周波数は、良好な痛み低減効果を提供することが分かった。
【００２８】
図２−Ａを参照すると、脱毛部材１２の形の、毛を抜くための手段と、冷却及び振動部材３６の形の、痛みを低減するための手段とを有する脱毛部材１２が示されている。脱毛部材１２は、図１を参照して示され説明されたものに対応する。冷却及び振動を組み合わせる部材３６は、皮膚を冷却するための冷却源を提供するアイス容器（示されない）を備えたハウジング３７を有する。図１に示されるアクティブ面１８に対して、冷却・振動部材３６は、ハウジング３７に移動可能に接続されている。ハウジング３７内には、素子３６の振動を生じるための適切な電気駆動部が更に備えられている。脱毛部材１２は、それぞれのハウジング２４、３７間の接続によって冷却部材３６に取り付けられる。
【００２９】
図２−Ｂは、脱毛部材１２のアクティブ面１４、３８と、同時の冷却及び振動のための部材３６との構成を図式的に示す。動作中、脱毛装置１０は、その好適な移動方向２９に沿って動かされ、脱毛部材１２及び冷却・振動部材３６のそれぞれのアクティブ面１６、３８によって皮膚部分と接触する。この実施例では、脱毛プロセスの前には痛みマスキングは実行されない。痛みを生じる脱毛の後、面３８は、既に脱毛された皮膚部分に接触し、これに冷却及び振動刺激を加える。冷却・振動面３８は、皮膚面に特定の圧力を加えることによってアクティブ面３８と皮膚との間における良好な熱的接触を提供するだけでなく、冷却部材３６のハウジング３７内の冷却容器から振動アクティブ面３８への熱的流れも向上させる。代わりに、振動面３８は、電気的手段によっても冷却されることができるし、冷却刺激の代わりにに熱刺激を提供することもできる。
【００３０】
図３−Ａを参照すると、脱毛部材１２の形の、皮膚から毛を抜くための手段と、冷却部材５６の形の、痛みを低減するための第１の手段と、振動部材６０の形の、痛みを低減するための第２の手段とを有する脱毛装置１０が断面図にて示されている。ここでも、脱毛部材１２は、図１を参照して説明されたものに対応する。振動部材６０は、脱毛部材１２のハウジングから外に延在し、脱毛部材１２の回転軸２８に平行に構成されたピン６１の列を有する。
【００３１】
図３−Ｂは、ピン６１の構成をより詳細に示す。ピン６１は、脱毛された皮膚に垂直に接触するために、回転軸２８に垂直且つ移動方向２９に垂直に構成される。この構成においては、ピン６１は、冷却部材５６のアクティブ面５８中の対応する穴を通じて供給され、前記冷却部材５６は接触手段６４によって脱毛部材１２に接続される。前記接触手段６４はいかなる適切なものであってもよい。
【００３２】
図３−Ｃは、脱毛部材１２のアクティブ面１４、５８、６２と、冷却手段５６と、振動手段６０との構成とともに、面５８、６２の補完的なマッチングを図式的に示す。
【００３３】
動作中、図３−Ａ〜３−Ｃに従う脱毛装置１０は、脱毛されるべき皮膚と密接な接触をさせられる。これにより、アクティブ面１４、５８、６２は皮膚に触れる。脱毛装置１０がその移動方向２９に沿って移動すると、脱毛プロセスは、ユーザが見ることができ、ユーザによりモニタされることができる。脱毛プロセスの直後、振動部材６０は、そのアクティブ面６２によって脱毛された皮膚部分に接触する。皮膚に圧力を頻繁に加えることは、皮膚中の圧力受容体を活性化し、第１の痛みマスキング信号を解放する。皮膚は、密接な時間的・場所的配置で、冷却部材のアクティブ面５８によっても冷却される。これは、第２の刺激（即ち冷たさ）を、既に脱毛された皮膚に与え、冷たさ情報を振動情報に追加する。これは、痛みマスキング効果を大幅に向上させる。更に、この実施例は、２つの異なった刺激（即ち冷たさ及び振動）のための２つの別個の部材の利点を提供し、これら２つの異なった部材についての別個の最適化を可能にする。同時に、２つの異なった刺激が、ほぼ同じ皮膚部分に加えられ、これは、痛みマスキング結果を向上させる。
【００３４】
図４−Ａを参照すると、脱毛装置１０は、痛みを低減するための第１の手段を形成する取外し可能な冷却部材７６と、皮膚から毛を抜くための手段を提供する、上記で説明されたとおりの脱毛部材１２と、痛みを低減するための第２の手段を形成する振動部材８０とを有する脱毛装置１０が示されている。冷却部材７６は、ハウジング７７及びアクティブ面７８を含む。この実施例において、振動ヘッド８３は、アクティブ面８２を形成するピラミッド形の突起を備える。全体としてのアクティブ面８２は、人体の典型的な凸状表面に適応された凹状表面を形成する。
【００３５】
図４−Ｂは、冷却部材７６が取り外された状態の脱毛装置１０を示す。冷却部材７６は、きつく且つ取外し可能な接続を可能にする接続部材７９によって脱毛部材１２のボディに取り付けられることができる。脱毛部材１２は、アクティブ面８２を備えた振動ヘッド８０を有する振動部材８２を含む。
【００３６】
図４−Ｃは、脱毛部材１２、振動部材８０及び冷却部材７６のアクティブ面１４、８２、７８の構成を図式的に示す。振動手段８０は、脱毛部材１２と冷却部材７６との間に構成される。痛みを低減するための両手段８０、７６は、動作中の所望の移動方向２９に関して脱毛手段１２の後ろに構成される。
【００３７】
動作中、アクティブ面１４、７８、８２は、上述されたとおり、脱毛されるべき皮膚に接触する。振動部材８０は、皮膚面に少なくとも部分的に垂直な運動を実行する。これにより、第１の痛みマスキング効果が、皮膚の中の圧力受容体を活性化することにより引き起こされる。その後、冷却面７８が、既に脱毛されマッサージされた皮膚に触れ、第２の痛みマスキング刺激である冷却を加える。振動部材８０のアクティブ面８２の突起は、脱毛された皮膚への圧力の適用を強化させる。冷却部材７６は、脱毛部材１２のボディから取り外されて、冷却部材７６内の冷却源をリチャージするために冷たい場所（例えば低温貯蔵室）に移動されることができる。
【００３８】
図５−Ａを参照すると、脱毛装置１０は、脱毛部材１２の形の、皮膚から毛を抜くための手段と、冷却部材１６の形の、痛みを低減するための第１の手段と、加熱部材１０４の形の、痛みを低減するための第２の手段とを有する脱毛装置が示されている。脱毛部材１２及び冷却部材１６は、図１との関連で既に上記で詳細に説明された。加熱部材１０４は、脱毛されるべき皮膚部分に接触するためのアクティブ面１０６を備えた加熱プレート１１０を有する。
【００３９】
図５−Ｂは、脱毛装置１０、特に加熱部材１０４の分解図を示す。加熱部材１０４のための加熱源は、レジスタ１０８によって提供される。代わりに、レジスタ１０８はＰＴＣであってもよい。組み立てられた状態では、レジスタ１０８は、加熱プレート１１０と密接に接触する。これは、レジスタ１０８と、脱毛されるべき皮膚の部分に接触するための加熱面１０６との間の良好な熱伝達を提供する。他の好適な実施例において、加熱プレート１１０は、該加熱プレート１１０を脱毛部材１２に対して旋回することが可能なような態様で脱毛部材１２に接続される。これにより、皮膚とアクティブ面との間の接触が改善されることができる。
【００４０】
図５−Ｃは、脱毛部材１２のアクティブ面１４の前の加熱部材１０５のアクティブ面１０６の構成と、脱毛部材１２のアクティブ面１４の後ろの接触部材１６のアクティブ面１８の構成とを図式的に示す。
【００４１】
動作中、脱毛装置１０は、そのアクティブ面１０６、１４、１８によって、脱毛されるべき皮膚に接触する。この実施例において、痛みを低減する２つの刺激は、熱及び冷たさである。第１の刺激、即ち熱は、脱毛プロセスが起こる前に皮膚に与えられる。皮膚のこのプレウォーミングはリラックス効果を与えるので、より容易な脱毛が起こることができる。レジスタによって発生させられる熱は、加熱プレート１１０を介してアクティブな加熱面１０６に伝達される。熱は、アクティブ面１０８と皮膚表面との間の密接な接触によって皮膚に伝達される。痛み低減効果を得るためには、３５〜６０℃の温度範囲、特に４０〜５０℃の温度範囲が適切であることが分かった。加熱部材１０４のアクティブ面１０６に接触する皮膚部分の前加熱及びリラクゼーションの後に、該皮膚部分は、脱毛装置１０をその好適な移動方向２９に沿って移動させることによって脱毛部材１２と接触する。脱毛後、皮膚は、既に上記で説明されたように、アクティブ冷却面１８によって冷却される。この実施例の利点は、動く部品の低減された数と、複数回脱毛を実行する場合に特に重要である、皮膚のプレウォーミングと、２つの正反対の肯定的な刺激（即ち冷却及び加熱）の存在とである。
【００４２】
図６−Ａを参照すると、脱毛部材１２の形の、皮膚から毛を抜くための手段と、冷却部材１６の形の、痛みを低減するための第１の手段と、加熱部材１２８の形の、痛みを低減するための第２の手段とを有する脱毛装置が示されている。加熱部材１２８は、複数の円柱状加熱素子１２７が回転可能に構成されたブラケット１２５を有する。円柱状加熱素子１２７は、全体として、皮膚部分に接触するためのアクティブ面１２４を提供する。好ましくは、加熱素子１２７は、ブラケット１２５を介して加熱される。脱毛部材１２及び冷却部材１６は、図１を参照して既に上記で説明されたように構成され接続されている。
【００４３】
図６−Ｂは、脱毛装置１０のアクティブ面１２４、１４、１８の構成を図式的に示す。アクティブ加熱面１２４は、アクティブ脱毛面１４の前に構成される。アクティブ冷却面１８は、動作中の好適な移動方向２９に関してアクティブ脱毛面１４の後ろに構成される。
【００４４】
動作中、脱毛装置１０は、既に上記で説明されたように、その好適な動作方向２９に沿って移動される。この特定の実施例において、加熱素子１２８は、発生された熱を、その加熱面１２４を介して、脱毛されるべき皮膚部分に伝達する。加熱素子１２８の円柱状デザインは、装置のスムーズな移動を保証し、アクティブ面１２４と皮膚の表面との間の良好な熱伝達を可能にする。前記プレウォーミング及び正反対の感覚の存在から生じる他の利点は、上記で既に説明されている。加熱素子１２８が脱毛部材１２に傾斜可能に取り付けられることも好ましい可能性がある。これは、アクティブ加熱面１２４と脱毛されるべき皮膚部分の表面との間で一定の接触圧力を提供する。
【００４５】
図７−Ａを参照すると、脱毛装置１０は、脱毛部材１２の形の、皮膚から毛を抜くための手段と、冷却部材１６の形の、痛みを低減するための第１の手段と、加熱部材１４４の形の、痛みを低減するための第２の手段とを有する脱毛装置が示されている。加熱部材１４４はアクティブ加熱面１４６を有し、冷却部材１３６はアクティブ冷却面１３８を有する。加熱面１４６は、上記で既に説明された脱毛部材１２の前に構成される。冷却面１３８は、動作中の好適な移動方向２９に関して脱毛部材１２の後ろに構成される。加熱部材１４４及び冷却部材１３６のそれぞれのアクティブ面１４６、１３８は、脱毛部材１２のアクティブ面１４を囲むように設計され、異なった温度を有する２つのアクティブ面１４６、１３８間に小さな隙間１３３しか残さない。これらの温度は、電気手段（例えば単一のPeltier素子）によって発生され、加熱部材１４４及び冷却部材１３６のそれぞれのアクティブ面１４６、１３８に伝導される。
【００４６】
動作中、脱毛装置１０は、脱毛されるべき皮膚に沿って移動され、このとき、図７−Ｂに示されるアクティブ面１４６、１４、１３８は、脱毛されるべき皮膚の面に密接に接触している。これらの特定の実施例の利点は、ハウジング１３１の非常にコンパクトなデザインから生じる。このコンパクトなデザインは、熱及び冷たさの両方の電気的な発生により可能である。コンパクトなデザインは、脱毛装置の容易な取り扱い及び軽量な構造に至る。脱毛部材１２のアクティブ面１４の取り囲みは、上述の痛みマスキング効果を更に向上させる。なぜなら、正反対の感覚、即ち熱及び冷たさが、非常に近い場所的及び時間的相関関係で続くからである。
【００４７】
図８−Ａを参照すると、脱毛装置１０は、脱毛部材１２の形の、皮膚から毛を抜くための手段と、冷却部材１６の形の、痛みを低減するための第１の手段と、振動部材１６０の形の、痛みを低減するための第２の手段とを有する脱毛装置が示されている。振動部材１６０は、振動ヘッド１６１及びPeltier素子１６４を有する。脱毛部材１２の動作中の好適な移動方向２９に対して、振動部材１６０は、上述の脱毛部材１２の前に構成され、冷却部材１６は、脱毛素子１２の後ろに構成される。Peltier素子１６４は、振動ヘッド１６１の中に構成されて熱源を提供し、これは図８Ｂの分解図にも示される。振動ヘッド１６１は、好適には、良好な熱伝導特性を有するセラミック材料からなる。
【００４８】
動作中、振動ヘッド１６１は、脱毛部材１２の軸２８に少なくとも部分的に垂直且つ好適な移動方向２９に垂直（即ち脱毛されるべき皮膚の表面に垂直）な運動を実行する。加えて、振動ヘッド１６１、特にそのアクティブ面１６２は、Peltier素子１６４によって加熱される。これにより、この特定の実施例は、脱毛されるべき皮膚への３つの異なった刺激の提供を可能にする。２つの刺激、即ち熱及び振動が、脱毛プロセスが起こる前に加熱された振動ヘッド１６１によって加えられる。これは、皮膚中の痛み受容体が励起される前の、脱毛されるべき皮膚領域の大きな痛みマスキングを可能にする。脱毛プロセス後、冷却部材１６のアクティブ面は、第３の痛みマスキング刺激、即ち冷たさを加える。代わりに、振動ヘッド１６１は、異なったPeltier素子によっても冷却されることができ、又は、Peltier素子１６４によって発生される冷たさがこの目的のために使用される。
【００４９】
図９−Ａを参照すると、脱毛装置１０は、脱毛部材１２の形の、皮膚から毛を抜くための手段と、円柱状マッサージ／振動部材１７８の形の、痛みを低減するための第１の及び第２の手段とを有する脱毛装置が示されており、前記第１の及び第２の手段は、マッサージ／振動を与える他に熱又は冷たさを皮膚に伝達することもできる。マッサージ／振動部材１７８は、その回転軸が脱毛部材１２の軸２８に構成される。円柱状マッサージ／振動部材１７８は、振動を向上させるための小さいピン状突起１７６及び／又はリブを有する。マッサージ／振動部材１７８が、冷却刺激を皮膚に与えるために冷却されることができるようにすることもできる。従って、該部材１７８は、脱毛部材１２から取外し可能であり、冷却源１８２においてチャージされることができる。これに加えて又は代わりに、マッサージ／振動部材１７８は、脱毛されるべき皮膚への熱刺激を与えるために、上昇された温度にされることができる。取り外されたマッサージ／振動素子１７８は、この目的のため、マイクロウェーブ、オーブン、湯等に入れられることができる。図９−Ａでは、１つのマッサージ／振動部材１７８しか有さない脱毛装置が示されるが、脱毛部材１２の一方又は両方の側に構成された２つ以上のこのような部材を設けることも可能である。図９−Ｂ〜９−Ｄにおいて、幾つかの可能な構成が示されている。図９Ｂにおいて、１つのマッサージ／振動部材１７８が、動作中の脱毛部材１２の好適な移動方向２９に関して脱毛部材１２の後ろに配置される。このマッサージ／振動部材１７８は、そのチャージ状態に応じて、熱及び／又は冷たさを皮膚に加えることができる。図９−Ｃにおいては、２つの振動／マッサージ部材１７８は、脱毛部材１２の軸２８に平行に構成される。１つのマッサージ／振動部材１７８は、脱毛部材１２の前で熱を与えるように構成される。別のマッサージ／振動部材１７８が、脱毛部材１２の後ろで冷たさを与えるように構成される。図９−Ｄにおいて、熱を与える単一のマッサージ／振動部材１７８が脱毛部材１２の前に配置される。マッサージ／振動部材１７８は、好適には、熱及び冷たさを貯蓄するのに適切である。しかし、熱及び冷たさを貯蓄するために、異なったマッサージ／振動部材１７８であって最適化されたものが提供されることも可能である。
【００５０】
動作中、脱毛装置１０は、上述のとおり、脱毛されるべき皮膚上で移動される。同時に、マッサージ／振動部材１７８が回転されて、特に小さな突起１７６によって振動刺激を与える。同時に、皮膚の温度とは異なった少なくとも１つの温度が与えられる。この特定の実施例は、いかなるドライブ又はアクティブな加熱／冷却手段を必要とすることなく、冷却／加熱部材を振動部材と単純でコスト効果の高い組み合わせることの利点を提供する。更に、この実施例は、異なった刺激の非常にフレキシブルな構成を提供する。
【００５１】
上述の異なった実施例の単一の特徴が当業者によって何の問題もなく組み合わせられて添付の特許請求の範囲内に入る他の実施例が作られることができることは明らかであろう。従って、このような特徴の組み合わせは、明示的に示され及び／又は説明されていなくても、ここに開示されたものとみなされる。即ち、熱、冷たさ及び振動の刺激のうち少なくとも２つを与えるすべての可能性は、刺激を加える順序及び脱毛プロセスに対する刺激を加える順序に関係なく、開示されたものとみなされる。更に、実際の要求に応じて、熱、冷たさ及び振動の刺激のうち少なくとも２つを加えるのに必要な手段を実現することは、当業者の技能の範囲である。
【図面の簡単な説明】
【００５２】
【図１−Ａ】振動及び冷たさの刺激を別個の手段によって提供する脱毛装置を示す。
【図１−Ｂ】振動及び冷たさの刺激を別個の手段によって提供する脱毛装置を示す。
【図２−Ａ】１つのアクティブ面を介して振動及び冷たさの刺激を与える脱毛装置を示す。
【図２−Ｂ】１つのアクティブ面を介して振動及び冷たさの刺激を与える脱毛装置を示す。
【図３−Ａ】２つの補完的なアクティブ面を介して振動及び冷たさの刺激を与える脱毛装置を示す。
【図３−Ｂ】２つの補完的なアクティブ面を介して振動及び冷たさの刺激を与える脱毛装置を示す。
【図３−Ｃ】２つの補完的なアクティブ面を介して振動及び冷たさの刺激を与える脱毛装置を示す。
【図４−Ａ】取外し可能な冷却手段を有する振動及び冷たさの刺激を与える脱毛装置を示す。
【図４−Ｂ】取外し可能な冷却手段を有する振動及び冷たさの刺激を与える脱毛装置を示す。
【図４−Ｃ】取外し可能な冷却手段を有する振動及び冷たさの刺激を与える脱毛装置を示す。
【図５−Ａ】熱及び冷たさの刺激を与える脱毛装置を示す。
【図５−Ｂ】熱及び冷たさの刺激を与える脱毛装置を示す。
【図５−Ｃ】熱及び冷たさの刺激を与える脱毛装置を示す。
【図６−Ａ】熱及び冷たさの刺激を与える脱毛装置であって、前記刺激は円柱状素子によって与えられる脱毛装置を示す。
【図６−Ｂ】熱及び冷たさの刺激を与える脱毛装置であって、前記刺激は円柱状素子によって与えられる脱毛装置を示す。
【図７−Ａ】熱及び冷たさの刺激を与える脱毛装置であって、アクティブ面が毛抜き手段のアクティブ面を囲む、脱毛装置を示す。
【図７−Ｂ】熱及び冷たさの刺激を与える脱毛装置であって、アクティブ面が毛抜き手段のアクティブ面を囲む、脱毛装置を示す。
【図８−Ａ】熱、冷たさ及び振動の刺激を与える脱毛装置であって、熱及び振動の刺激は加熱されたセラミック部材を介して与えられる、脱毛装置を示す。
【図８−Ｂ】熱、冷たさ及び振動の刺激を与える脱毛装置であって、熱及び振動の刺激は加熱されたセラミック部材を介して与えられる、脱毛装置を示す。
【図８−Ｃ】熱、冷たさ及び振動の刺激を与える脱毛装置であって、熱及び振動の刺激は加熱されたセラミック部材を介して与えられる、脱毛装置を示す。
【図９−Ａ】異なった刺激の幾つかの組み合わせを円柱状素子を介して与えるように適応された脱毛装置を示す。
【図９−Ｂ】異なった刺激の幾つかの組み合わせを円柱状素子を介して与えるように適応された脱毛装置を示す。
【図９−Ｃ】異なった刺激の幾つかの組み合わせを円柱状素子を介して与えるように適応された脱毛装置を示す。
【図９−Ｄ】異なった刺激の幾つかの組み合わせを円柱状素子を介して与えるように適応された脱毛装置を示す。
【図１Ａ】
2008514333.tif 000003
【図１Ｂ】
2008514333.tif 000004
【図２Ａ】
2008514333.tif 000005
【図２Ｂ】
2008514333.tif 000006
【図３Ａ】
2008514333.tif 000007
【図３Ｂ】
2008514333.tif 000008
【図３Ｃ】
2008514333.tif 000009
【図４Ａ】
2008514333.tif 000010
【図４Ｂ】
2008514333.tif 000011
【図４Ｃ】
2008514333.tif 000012
【図５Ａ】
2008514333.tif 000013
【図５Ｂ】
2008514333.tif 000014
【図５Ｃ】
2008514333.tif 000015
【図６Ａ】
2008514333.tif 000016
【図６Ｂ】
2008514333.tif 000017
【図７Ａ】
2008514333.tif 000018
【図７Ｂ】
2008514333.tif 000019
【図８Ａ】
2008514333.tif 000020
【図８Ｂ】
2008514333.tif 000021
【図８Ｃ】
2008514333.tif 000022
【図９Ａ】
2008514333.tif 000023
【図９Ｂ】
2008514333.tif 000024
【図９Ｃ】
2008514333.tif 000025
【図９Ｄ】
2008514333.tif 000026
【国際調査報告】
2008514333.tif 000027
2008514333.tif 000028